(57)【要約】【課題】操作者の嗜好に応じたレジューム再生やプログラム再生等の特殊再生を行う時に用いる情報を記録するために光ディスクのリードアウト領域の外周を有効利用する、光ディスク装置を提供する。【解決手段】操作者が光ディスク１００の再生を停止すると、光ディスク装置１は、光ディスク１００に対してファイナライズ処理が施されているか否かを判定する。ファイナライズ処理が施されていると判断すると、光ディスク装置１は再生が停止した時の再生位置を変調復調回路４のバッファから入手する。リードアウト領域より外周にレーザ光が照射される位置へＰＵヘッド２を移動し、その領域にｓ２で取得した再生位置を再生手順情報として書き込む。これにより、レジューム再生を行う時に用いる再生手順情報を光ディスク１００のリードアウト領域の外周に記録するので、その外周を有効利用できる。【選択図】  図３
2006196092.tif 000002
【特許請求の範囲】
【請求項１】
装置本体にセットされている光ディスクにレーザ光を照射し、その光ディスクに対して、データの記録およびデータ領域に記録されているデータの読取を行う記録／読取手段を備えた光ディスク装置において、
装置本体に終了処理されている光ディスクがセットされている場合に、予め定めた入力操作が行われると、装置本体にセットされている光ディスクにデータ領域に記録されているデータについて、そのデータを再生する再生手順を示す再生手順情報の記録を前記記録／読取手段に指示する再生手順情報記録指示手段を備え、
前記記録／読取手段は、前記再生手順情報記録指示手段から再生手順情報の記録が指示されたとき、装置本体にセットされている光ディスクに対して、この光ディスクの終了処理領域より外周に前記再生手順情報を記録するとともに、装置本体にセットされている光ディスクの再生開始前にこの光ディスクから前記再生手順情報を読み取る再生手順情報読取機能を備え、
さらに、前記記録／読取手段が装置本体にセットされている光ディスクから読み取った前記再生手順情報を出力し、この再生手順情報に基づく再生を実行するかどうかの選択入力を要求する再生手順選択要求手段を備え、
前記記録／読取手段は、前記再生手順情報に基づく再生を実行する旨の選択入力があると、装置本体にセットされている光ディスクを前記再生手順情報に基づいて再生する手段であり、
前記再生手順情報読取機能を有効とするか無効とするかを切換える再生手順情報読取切換手段と、
前記再生手順情報読取切換手段により前記再生手順情報読取機能が無効に切換えられている場合、装置本体にセットされている光ディスクから前記再生手順情報を読み取ることを前記記録／読取手段に禁止させる再生手順情報読取禁止手段と、を備えた光ディスク装置。
【請求項２】
装置本体にセットされている光ディスクにレーザ光を照射し、その光ディスクに対して、データの記録およびデータ領域に記録されているデータの読取を行う記録／読取手段を備えた光ディスク装置において、
装置本体に終了処理されている光ディスクがセットされている場合に、予め定めた入力操作が行われると、装置本体にセットされている光ディスクにデータ領域に記録されているデータについて、そのデータを再生する再生手順を示す再生手順情報の記録を前記記録／読取手段に指示する再生手順情報記録指示手段を備え、
前記記録／読取手段は、前記再生手順情報記録指示手段から再生手順情報の記録が指示されたとき、装置本体にセットされている光ディスクに対して、この光ディスクの終了処理領域より外周に前記再生手順情報を記録するとともに、装置本体にセットされている光ディスクの再生開始前にこの光ディスクから前記再生手順情報を読み取る再生手順情報読取機能を備え、
さらに、前記記録／読取手段が装置本体にセットされている光ディスクから読み取った前記再生手順情報を出力し、この再生手順情報に基づく再生を実行するかどうかの選択入力を要求する再生手順選択要求手段を備えた光ディスク装置。
【請求項３】
前記記録／読取手段は、前記再生手順情報に基づく再生を実行する旨の選択入力があると、装置本体にセットされている光ディスクを前記再生手順情報に基づいて再生する手段である請求項２記載の光ディスク装置。
【請求項４】
前記再生手順情報読取機能を有効とするか無効とするかを切換える再生手順情報読取切換手段と、
前記再生手順情報読取切換手段により前記再生手順情報読取機能が無効に切換えられている場合、装置本体にセットされている光ディスクから前記再生手順情報を読み取ることを前記記録／読取手段に禁止させる再生手順情報読取禁止手段と、を備えた請求項２、または３に記載の光ディスク装置。
【発明の詳細な説明】
【技術分野】
【０００１】
この発明は、ＣＤやＤＶＤ等の光ディスクにデータ領域に記録されているデータの読取やデータの記録を行う光ディスク装置に関するものである。
【背景技術】
【０００２】
従来、ＣＤ、ＤＶＤ等の光ディスクに記録されている映像や音声の再生やデータの記録を行う光ディスク装置が実用化され、一般に普及している。
【０００３】
また、その光ディスク装置において、動画及び音声等のデータを記録する記録媒体として、ＣＤ−Ｒ、ＤＶＤ−Ｒ、ＤＶＤ＋Ｒ、ＤＶＤ−ＲＡＭ、ＣＤ−ＲＷおよびＤＶＤ−ＲＷ等が知られている。光ディスク装置で記録を行ったこれらのメディアは、他の光ディスク装置と互換性を持たせるために、最終処理（以下、ファイナライズ処理という）を行って、最終処理領域（以下、リードアウト領域という）を作成する必要がある。リードアウト領域を作成した光ディスクは記録には使用されず、リードアウト領域よりも外周は利用されない。そのため、リードアウト領域よりも外周はデータが記録されず、無駄となってしまう。
【０００４】
一方、特許文献１に記載された光ディスク装置が従来から提案されている。
【０００５】
この光ディスク装置は、ＤＶＤ−Ｒのデータ領域にＤＶのシステムストリームとＤＶナビゲーション情報を記録し、ＤＶＤ−Ｒのリードアウト領域よりも外周にＶＲのナビゲーションを記録しており、リードアウト領域よりも外周を利用している。
【０００６】
この記録方法と、ＤＶＤ再生装置で再生する場合にはデータ領域に記録してあるＤＶナビゲーション情報を読み出して使用し、一方、ＤＶＤ記録再生装置で再生する場合にはリードアウト領域の外周に記録してあるＶＲナビゲーション情報を読み出して使用する再生方法とで、ＤＶＤ再生装置とＤＶＤ記録再生装置とでの再生の互換性を確保している。
【０００７】
この方法により記録したＤＶＤ−Ｒは、ＤＶＤ再生装置でも、ＤＶＤ記録再生装置でも再生可能となる。
【特許文献１】特開２００３−７０３５公報
【発明の開示】
【発明が解決しようとする課題】
【０００８】
しかしながら、従来の光ディスク装置は、操作者の嗜好に応じたレジューム再生やプログラム再生等といった特殊再生を行う時に用いる情報を、光ディスク装置内蔵のハードディスクに記録していた。そのハードディスクを用意する必要があり、そのためのスペースの確保やコストがかかるという問題があった。
【０００９】
本発明はこのような従来の課題を解決しようとするものであり、操作者の嗜好に応じたレジューム再生やプログラム再生等の特殊再生を行う時に用いる情報を記録するために光ディスクのリードアウト領域の外周を有効利用する、光ディスク装置を提供することを目的とするものである。
【課題を解決するための手段】
【００１０】
本発明の光ディスク装置は、前記課題を解決するために以下の構成を備えている。
（１）装置本体にセットされている光ディスクにレーザ光を照射し、その光ディスクに対して、データの記録およびデータ領域に記録されているデータの読取を行う記録／読取手段を備えた光ディスク装置において、
装置本体に終了処理されている光ディスクがセットされている場合に、予め定めた入力操作が行われると、装置本体にセットされている光ディスクにデータ領域に記録されているデータについて、そのデータを再生する再生手順を示す再生手順情報の記録を前記記録／読取手段に指示する再生手順情報記録指示手段を備え、
前記記録／読取手段は、前記再生手順情報記録指示手段から再生手順情報の記録が指示されたとき、装置本体にセットされている光ディスクに対して、この光ディスクの終了処理領域より外周に前記再生手順情報を記録するとともに、装置本体にセットされている光ディスクの再生開始前にこの光ディスクから前記再生手順情報を読み取る再生手順情報読取機能を備え、
さらに、前記記録／読取手段が装置本体にセットされている光ディスクから読み取った前記再生手順情報を出力し、この再生手順情報に基づく再生を実行するかどうかの選択入力を要求する再生手順選択要求手段を備えている。
【００１１】
この構成では、装置本体に終了処理されている光ディスクがセットされている場合に、予め定めた入力操作を操作者が行うと、再生手順情報記録指示手段が光ディスクにデータ領域に記録されているデータを再生する再生手順を示す再生手順情報の記録を、記録／読取手段に指示する。終了処理は、例えば、ファイナライズ処理である。
【００１２】
再生手順情報とは、レジューム再生やプログラム再生等の特殊再生を行う時に用いる情報である。詳述すると、レジューム再生を行う時に用いる情報は、例えば、停止した時の時間情報、トラック情報である。また、プログラム再生を行う時に用いる情報は、例えば、曲順情報である。
【００１３】
なお、レジューム再生とは、前回再生停止した位置から開始する再生である。プログラム再生とは、曲の再生順序を変える再生または聴きたい曲だけを選択する再生である。
【００１４】
指示を受けた記録／読取手段は、装置本体にセットされている光ディスクに対して、この光ディスクの終了処理領域より外周に再生手順情報を記録する。終了処理領域とは、例えば、リードアウト領域である。
【００１５】
記録／読取手段は、光ディスクの再生開始前にこの光ディスクから再生手順情報を読み取る。
【００１６】
再生手順選択要求手段は、記録／読取手段が装置本体にセットされている光ディスクから読み取った上記再生手順情報を出力し、この再生手順情報に基づく再生を実行するかどうかの選択入力を操作者に要求する。再生手順情報に基づく再生とは、レジューム再生やプログラム再生等の特殊再生である。操作者は、レジューム再生やプログラム再生等の特殊再生を行うか通常の再生を行うかを選択入力できる。
【００１７】
これにより、レジューム再生やプログラム再生等の特殊再生を行う時に用いる再生手順情報を光ディスクのリードアウト領域の外周に記録するので、その外周を有効利用できる。また、レジューム再生やプログラム再生等の特殊再生を行う時に用いる再生手順情報を記録させるハードディスク等が不要となり、本体のコストダウンや小型化が図れる。また、上記特殊再生を行う時に用いる再生手順情報がハードディスクでなく光ディスクに記録されるため、再生手順情報を光ディスクに記録した光ディスク装置と同一セットの他の光ディスク装置において、その光ディスクの上記特殊再生が実現できる。
（２）前記記録／読取手段は、前記再生手順情報に基づく再生を実行する旨の選択入力があると、装置本体にセットされている光ディスクを前記再生手順情報に基づいて再生する手段である。
【００１８】
この構成では、再生手順情報に基づく再生を実行する旨の選択入力を操作者が行うと、記録／読取手段は装置本体にセットされている光ディスクをその再生手順情報に基づいて上記特殊再生する。
【００１９】
これにより、操作者の嗜好に応じたレジューム再生やプログラム再生等の特殊再生を行うことができる。
（３）前記再生手順情報読取機能を有効とするか無効とするかを切換える再生手順情報読取切換手段と、
前記再生手順情報読取切換手段により前記再生手順情報読取機能が無効に切換えられている場合、装置本体にセットされている光ディスクから前記再生手順情報を読み取ることを前記記録／読取手段に禁止させる再生手順情報読取禁止手段と、を備えている。
【００２０】
この構成では、装置本体にセットされている光ディスクの再生開始前に、この光ディスクから再生手順情報を読み取る再生手順情報読取機能を有効とするか無効とするかを操作者が切換えできる。この機能を無効に切換えると、装置本体にセットされている光ディスクから再生手順情報を読み取ることを再生手順情報読取禁止手段が記録／読取手段に禁止させる。
【００２１】
これにより、レジューム再生やプログラム再生等の特殊再生を行うため、光ディスクの再生開始前にこの光ディスクから再生手順情報を読み取るかどうか、を操作者が自分の使用方法に応じて切換えできるため、操作者の使い勝手を向上させる。
【発明の効果】
【００２２】
レジューム再生やプログラム再生等の特殊再生を行う時に用いる再生手順情報を光ディスクのリードアウト領域の外周に記録するので、その外周を有効利用できる。
【００２３】
また、レジューム再生やプログラム再生等の特殊再生を行う時に用いる再生手順情報を記録させるハードディスク等が不要となり、本体のコストダウンや小型化が図れる。
【００２４】
また、上記特殊再生を行う時に用いる再生手順情報がハードディスクでなく光ディスクに記録されるため、再生手順情報を光ディスクに記録した光ディスク装置と同一セットの他の光ディスク装置において、その光ディスクの上記特殊再生が実現できる。
【発明を実施するための最良の形態】
【００２５】
以下、本発明の実施形態である光ディスク装置について説明する。
【００２６】
図１は本発明の実施形態である光ディスク装置のブロック図である。光ディスク装置１は、ピックアップヘッド２（以下、ＰＵヘッド２という。）と、記録再生回路３と、変調復調回路４と、サーボ回路５と、ドライバ６と、スレッドモータ７と、スピンドルモータ８と、電源部９と、操作部１０と、表示部１１と、制御部１２と、を備えている。この実施形態の光ディスク装置１は、ＣＤやＤＶＤ等の光ディスク１００に対してデータ領域に記録されているデータの読取や、データの記録を行う。
【００２７】
ＰＵヘッド２は、光ディスク１００の半径方向に延びる軸に移動自在に取り付けられている。スレッドモータ７が、ＰＵヘッド２を光ディスク１００の半径方向に移動する。また、ＰＵヘッド２には、レーザ光を出力する光源であるＬＤ（レーザダイオード）（不図示）、光ディスク１００からの反射光を検出するフォトディテクタ（不図示）、光ディスク１００の記録面にレーザ光を集光させる対物レンズ（不図示）が設けられている。また、対物レンズを光ディスク１００に接離する方向、および光ディスク１００の半径方向に移動する２軸のアクチュエータ（不図示）が設けられている。光ディスク１００からの反射光を検出するフォトディテクタは、複数の受光素子で形成されている。
【００２８】
再生時においては、光ディスク１００に対して読取パワーのレーザ光を照射し、その光ディスク１００からの反射光を電気信号に変換することによって、光ディスク１００にデータ領域に記録されているデータを光学的に読み取る。また、記録時においては、読取パワーよりも大きい記録パワーのレーザ光を光ディスク１００に対して照射し、光ディスク１００にデータを記録する。その記録は、記録再生回路３から与えられるディジタル信号に基づいて、記録パワーのレーザ光の強度を調節することにより達成する。
【００２９】
なお、その強度の調節とは、光ディスク装置１が記録パワーのレーザ光を光ディスク１００上の未記録領域にピットが形成されるパワーや、形成されないパワーに調節する、ことである。
【００３０】
記録再生回路３は、再生時においては、ＰＵヘッド２の複数の受光素子の出力に基づいてＲＦ信号を生成し、そのＲＦ信号を増幅して変調復調回路４に与える。さらに、記録再生回路３はトラッキングエラー信号やフォーカスエラー信号などを生成してサーボ回路５に与える。また、記録時においては、記録再生回路３は変調復調回路４から与えられるディジタル信号をＰＵヘッド２に与える。
【００３１】
変調復調回路４は、再生時においては、記録再生回路３から与えられるＲＦ信号に対して、誤り検出及び訂正処理などを施す。その後、これをデコードして再生信号を生成し、外部に出力する。また、記録時においては、変調復調回路４は外部から入力された信号を復調処理してディジタル信号に変換し、誤り検出及び訂正処理などを施して、記録再生回路３へ与える。
【００３２】
サーボ回路５は、記録再生回路３から与えられるトラッキングエラー信号、フォーカスエラー信号に基づいて、それぞれトラッキング調整を行うためのトラッキングサーボ信号及びスレッドモータ７を駆動するスレッドモータ駆動信号、フォーカス調整を行うためのフォーカスサーボ信号を生成する。
【００３３】
ドライバ６は、トラッキングサーボ信号、フォーカスサーボ信号、スレッドモータ駆動信号、に基づいて、それぞれＰＵヘッド２内の２軸のアクチュエータ、スレッドモータ７を駆動する。
【００３４】
スレッドモータ７は、ＰＵヘッド２を光ディスク１００の半径方向に移動する。スピンドルモータ８は、光ディスク１００を回転させる。電源部９は、商用電源から光ディスク装置１各部の駆動電源を取り出して、光ディスク装置１の各部に供給する。
【００３５】
操作部１０は、操作者が光ディスク装置１に対して各種の命令を入力するためのものである。光ディスク装置１に対して操作者が入力した命令は制御部１２に与えられる。表示部１１は、時刻、光ディスク装置１の動作状態を示す情報、録画中のデータに関する情報などを表示する。制御部１２は、例えばマイクロコンピュータで構成されており、光ディスク装置１に操作者から入力された命令に応じて光ディスク装置１の各部を制御する。
【００３６】
ここで、ＰＵヘッド２、記録再生回路３、変調復調回路４が本発明の「記録／読取手段」に相当する。また、制御部１２が本発明の「再生手順情報記録指示手段」「再生手順情報読取禁止手段」に相当する。また、表示部１１が本発明の「再生手順選択要求手段」に相当する。また、操作部１０が本発明の「再生手順情報読取切換手段」に相当する。
【００３７】
次に、この実施形態の光ディスク装置１の光ディスク１００の記録領域について説明する。光ディスク１００には、記録用のＣＤ−Ｒ、ＤＶＤ−Ｒ、ＤＶＤ＋Ｒ、ＤＶＤ−ＲＡＭ、ＣＤ−ＲＷおよびＤＶＤ−ＲＷ等（以下、記録用光ディスクという。）や、再生専用のＣＤ−ＲＯＭやＤＶＤ−ＲＯＭ等（以下、再生専用光ディスクという。）などといった様々な種類がある。光ディスク１００の記録領域は、その内周から外周にかけて様々な領域に分けられている。
【００３８】
図２はファイナライズ済の記録用光ディスクの記録領域を示す図である。この記録用光ディスクの記録領域は、その内周から外周にかけてＰＣＡ、ＲＭＡ、リードイン領域、データ領域、リードアウト領域に分けられている。
【００３９】
ＰＣＡは、レーザパワーの校正が行うための領域である。ＲＭＡは、光ディスク装置１にとって必要な記録管理情報が記録されている領域である。リードイン領域は、光ディスク上のデータ領域に記録されているデータのＴＯＣデータが記録されている領域である。このＴＯＣデータには、データ領域に記録されているデータがファイナライズされているかどうかの情報、データが記録された日付、データ領域に記録されているデータのタイトル情報、データ領域に記録されているデータの光ディスク上のアドレス情報などが含まれている。データ領域は、音声や映像等のデータが記録されている領域である。リードアウト領域は、データ領域に記録されているデータがファイナライズされた場合に作成される領域である。このファイナライズとは、記録用光ディスクが他の光ディスク装置と互換性を持つようにするために記録の形式を整えるためのプロセスである。ファイナライズを行うことにより、他の光ディスク装置においても記録用光ディスクの再生が可能となる。リードアウト領域の外周は、未記録領域である。
【００４０】
そこで、本発明の実施形態である光ディスク装置は操作者の嗜好に応じたレジューム再生を行う時に用いる再生手順情報を、未記録領域となっている光ディスク１００の上記リードアウト領域の外周に記録する。
【００４１】
なお、レジューム再生とは、前回再生停止した位置から開始する再生である。再生手順情報とは、レジューム再生を行う時に用いる情報である。ここで、レジューム再生を行う時に用いる情報は、例えば、停止した時の時間情報、トラック情報である。
【００４２】
これにより、光ディスク１００の上記リードアウト領域の外周を有効利用できる。
【００４３】
なお、本発明の実施形態である光ディスク装置は、データ記録方式として、ディスクアットワンスなどのシングルセッションを採用し、マルチセッションを採用しない。
【００４４】
次に、この実施形態の光ディスク装置１の動作について説明する。図３は本発明の実施形態である光ディスク装置における再生停止時に制御部が行う動作を示すフローチャートである。
【００４５】
操作者が光ディスク１００の再生を停止すると、光ディスク装置１は、光ディスク１００に対してファイナライズ処理が施されているか否かを判定する（ｓ１）。この判定は、リードイン領域中にリードアウト領域のアドレスデータが存するか否かを調べる方法、またはＲＭＡの記録管理情報を調べる方法、のいずれか一方の方法により行われる。ｓ１で光ディスク１００に対してファイナライズ処理が施されていないと判断すると、本処理を終了する。
【００４６】
ここで、ファイナライズとは、記録用光ディスクが他の光ディスク装置と互換性を持つようにするために記録の形式を整えるためのプロセスである。この実施形態の光ディスク装置１は、再生専用光ディスクについてはファイナライズ処理を施されていないと判断する。
【００４７】
一方、ｓ１で光ディスク１００に対してファイナライズ処理が施されていると判断すると、光ディスク装置１は再生が停止した時の再生位置を変調復調回路４のバッファ（不図示）から入手する（ｓ２）。そして、レジューム再生のための記録を行うか否か、を表示部１１で表示する（ｓ３）。これにより、操作者に、レジューム再生のための記録を行うか否かを選択入力させる。操作者がレジューム再生のための記録を行わないと操作部１０で選択入力すると、本処理を終了する。
【００４８】
一方、操作者がレジューム再生のための記録を行うと操作部１０で選択入力すると、ＰＵヘッド２を光ディスク１００のＰＣＡにレーザ光が照射される位置に移動させる。光ディスク装置１は、そのＰＣＡにおいて、レーザ光の記録パワーを校正する（ｓ４）。
【００４９】
なお、現在の一般的な光ディスク装置は、操作者が録画または録音にかかる入力操作を行った際、光ディスク上のＰＣＡにおいて、レーザ光の記録パワーを校正する。そのＰＣＡでは、レーザパワーの校正が９９回行えるとされている。そのため、操作者が同一光ディスクにおいて録画または録音にかかる入力操作とレジューム再生のための記録にかかる入力操作とを、併せて９９回を越えて行うとレーザパワーの校正が不可能となる。しかし、通常ファイナライズを行うまでに録画または録音を実行する回数は、数回程度、多くとも１０数回程度である。よって、レジューム再生のための記録を実行できる回数は、数１０回もあるため、ｓ3の処理はほぼ確実に行える。
【００５０】
リードアウト領域より外周にレーザ光が照射される位置へＰＵヘッド２を移動し、その領域にｓ２で取得した再生位置を再生手順情報として書き込み（ｓ５）、本処理を終了する。
【００５１】
ｓ５の再生手順情報の書き込みは、光ディスク１００の最外周から１０KB〜１MB手前の位置であれば、どこを開始位置としても良い（後述の図４参照）。
【００５２】
なお、この１０KB〜１MBは、適した範囲であり、この範囲外であっても本発明の実施形態である光ディスク装置１の実施は可能である。
【００５３】
光ディスク１００の最外周から１０KB〜１MB手前の位置から再生手順情報の書き込みを行うようにしたのは、通常、その位置まで使用する操作者はほぼおらず、未記録領域となっているためである。また、再生手順情報の書き込みを、光ディスク１００の最外周から１０KB〜１MB手前の範囲で行うため、後述するリードアウト領域より外周にデータが存在するか否かを判定する際（図５のｓ１２参照）、その範囲を読取るだけで存在するデータを発見できる。
【００５４】
また、再生手順情報の書き込みを初めて行う際には、再生手順情報の先頭に、再生手順情報が存在することを示す情報を一緒に書き込む（後述の図４参照）。この再生手順情報が存在することを示す情報が存在するか否かにより、後述するリードアウト領域に存在するデータが再生手順情報であるか判断する際に（図５のｓ１３参照）、後述する図５のｓ１２で発見されたデータが上記再生手順情報であるか否か判断できる。
【００５５】
なお、ｓ５の動作の後、光ディスク装置１の電源を落とさずに操作者がレジューム再生を行う旨の操作を操作部１０で行った場合、操作後即レジューム再生を行うことができる。これは、操作者が再生停止させた時に出力されていたデータを、光ディスク１００が光ディスク装置１から排出されるまで変調復調回路４のバッファ（不図示）に保持しておき、そのバッファからそのデータを読み取ることにより実現する。これにより、後述するように光ディスク１００を光ディスク装置１にセットし直さなくとも、上記操作の後即、レジューム再生を行うことができる（図５参照）。
【００５６】
図４は、ファイナライズ済記録用光ディスクに再生手順情報を複数回記録した時の記録領域を示す図である。下段の図は上段の図を拡大したものである。下段の図において、ｓ５の再生手順情報の書き込みが、光ディスク１００の最外周から１０KB〜１MB手前の位置から３回行われた後の記録領域が示されている。また下段の図のNは、再生手順情報の書き込みを初めて行う際に再生手順情報と一緒に書き込まれた、再生手順情報が存在することを示す情報である。
【００５７】
図５は本発明の実施形態である光ディスク装置における光ディスクセット時に制御部が行う初期動作を示すフローチャートである。
【００５８】
操作者が光ディスク１００を光ディスク装置１にセットすると、光ディスク装置１は、光ディスク１００に対してファイナライズ処理が施されているか否かを判定する（ｓ１１）。この判定は、リードイン領域中にリードアウト領域のアドレスデータが存するか否かを調べる方法、またはＲＭＡの記録管理情報を調べる方法、のいずれか一方の方法により行われる。光ディスク装置１は、ｓ１１で光ディスク１００に対してファイナライズ処理が施されていないと判断すると、本処理を終了する。
【００５９】
なお、図５は光ディスクセット時に制御部が行う初期動作を示しているが、光ディスクがセットされた状態で電源がオンされた時にも制御部は図５と同様の動作を行う。
【００６０】
一方、光ディスク装置１は、ｓ１１で光ディスク１００に対してファイナライズ処理が施されていると判断すると、リードアウト領域より外周にレーザ光が照射される位置へＰＵヘッド２を移動し、その領域にデータが存在するか否かを判定する（ｓ1２）。この判定は、ＰＵヘッド２を使って、リードアウト領域より外周に読取パワーのレーザ光を照射し、その反射光を電気信号（RF信号）に変換して、その電気信号（RF信号）を調べる方法により行われる。
【００６１】
また、リードアウト領域より外周に読取パワーのレーザ光を照射する位置は、光ディスク１００の最外周から１０KB〜１MB手前の位置からと設定する。再生手順情報の書き込みが、光ディスク１００の最外周から１０KB〜１MB手前の位置から行われていることから、その範囲を読取るだけでリードアウト領域より外周に存在するデータを発見できる。
【００６２】
光ディスク装置１は、ｓ１２でリードアウト領域より外周にデータが存在しないと判断すると、本処理を終了する。
【００６３】
一方、光ディスク装置１は、ｓ１２でリードアウト領域より外周にデータが存在すると判断すると、存在するデータが再生手順情報であるか否かを判定する（ｓ１３）。ｓ１３の判定は、存在するデータの先頭に、再生手順情報が存在することを示す情報が存在するか否かを調べる方法により行われる。光ディスク装置１は、ｓ１３で存在するデータが再生手順情報でないと判断すると、本処理を終了する。
【００６４】
一方、光ディスク装置１は、ｓ１３で存在するデータが再生手順情報であると判断すると、リードアウト領域よりも外周に存在する再生手順情報を読取る（ｓ１４）。
【００６５】
ここで、操作者がレジューム再生のための記録を複数回行ったため、リードアウト領域よりも外周に存在する再生手順情報が複数ある場合、最新の再生手順情報を読取る。最新の再生手順情報の読取りは、光ディスク１００の最外周から１０KB〜１MB手前の位置から記録されている複数の再生手順情報の内、最後尾に記録されている再生手順情報を読取ることにより実現する。
【００６６】
そして、前回再生が停止した時の、再生手順情報を表示部１１で表示する（ｓ１５）。これにより、操作者に、レジューム再生を行うか通常の再生を行うかを選択入力させる。
【００６７】
光ディスク装置１は、レジューム再生が選択入力されたか否かを判定する（ｓ１６）。光ディスク装置１は、ｓ１６でレジューム再生を行うことを選択入力したと判断すると、再生手順情報を参照して、光ディスク１００の前回再生が停止した位置にレーザ光が照射される位置へPUヘッド２を移動させることにより、レジューム再生を開始し（ｓ１７）、本処理を終了する。
【００６８】
一方、光ディスク装置１は、ｓ１６でレジューム再生を行うことを選択入力されていないと判断すると、通常の再生が選択入力されたか否かを判定する（ｓ１８）。光ディスク装置１は、ｓ１８で通常の再生が選択入力されていないと判断すると、ｓ１６に戻り処理を継続する。
【００６９】
ここで、ｓ１６およびｓ１８では、レジューム再生か通常の再生かを選択できる状態となっている。
【００７０】
一方、光ディスク装置１は、ｓ１８で通常の再生が選択入力されたと判断すると、通常の再生を開始し（ｓ１９）、本処理を終了する。
【００７１】
ここで、ｓ１１〜１４の処理が本発明の「再生手順情報読取機能」に相当する。
【００７２】
このような構成および制御を行うことで、レジューム再生を行う時に用いる再生手順情報を光ディスク１００のリードアウト領域の外周に記録するので、その外周を有効利用できる。
【００７３】
また、レジューム再生を行う時に用いる再生手順情報を記録させるハードディスク等が不要となり、本体のコストダウンや小型化が図れる。
【００７４】
また、レジューム再生を行う時に用いる再生手順情報がハードディスクでなく光ディスク１００に記録されるため、再生手順情報を光ディスク１００に記録した光ディスク装置１と同一セットの他の光ディスク装置において、その光ディスク１００のレジューム再生が実現できる。
【００７５】
また、上記本発明の実施形態である光ディスク装置１の操作部１０に、ｓ１１〜１４の処理を行うかまたはｓ１１〜１４の処理を行わないかを操作者に選択させることができる構成を追加しても良い。
【００７６】
上記本発明の実施形態である光ディスク装置１では、ｓ１１〜１４の処理を行うと決められていたが、この構成を追加すれば、ｓ１１〜１４の処理を行うかまたはｓ１１〜１４の処理を行わないかのいずれか一方を操作者が選択できる。
【００７７】
これにより、レジューム再生を行うため、光ディスク１００の再生開始前に光ディスク１００から再生手順情報を読み取るかどうか、を操作者が自分の使用方法に応じて切換えできるため、操作者の使い勝手を向上させる。
【図面の簡単な説明】
【００７８】
【図１】本発明の実施形態である光ディスク装置のブロック図
【図２】ファイナライズ済記録用光ディスクの記録領域を示す図
【図３】本発明の実施形態である光ディスク装置における再生停止時に制御部が行う動作を示すフローチャート
【図４】ファイナライズ済記録用光ディスクに再生手順情報を複数回記録した時の記録領域を示す図
【図５】本発明の実施形態である光ディスク装置における光ディスクセット時に制御部が行う初期動作を示すフローチャート
【符号の説明】
【００７９】
1‐光ディスク装置
２‐ＰＵヘッド
3‐記録再生回路
４‐変調復調回路
５‐サーボ回路
６‐ドライバ
７‐スレッドモータ
８‐スピンドルモータ
９‐電源部
1０‐操作部
1１‐表示部
1２‐制御部
１００‐光ディスク
【図１】
2006196092.tif 000003
【図２】
2006196092.tif 000004
【図３】
2006196092.tif 000005
【図４】
2006196092.tif 000006
【図５】
2006196092.tif 000007